(57)【要約】【課題】本発明はＨＤＭＩ端子の機器とＳＤＩ端子の機器を接続し、信号情報をＨＤＭＩ規格からＳＤＩ規格へ変換することを目的とする。【解決手段】本発明によるＨＤＭＩ−ＳＤＩ変換装置は、ＨＤＭＩ端子を有する機器１００と本発明による装置２００とをＨＤＭＩケーブルによって接続し、本発明による装置１００で信号情報を変換の後、ＳＤＩ端子を有する機器３００へＳＤＩケーブルによって接続を行うことができることを特徴とする。【選択図】図１
2011172197.tif 000002
【特許請求の範囲】
【請求項１】
ＨＤＭＩ端子を備える、映像および音声等再生装置と本発明で開発された、
ＨＤＭＩ−ＳＤＩ変換装置がＨＤＭＩケーブルによって接続されているものであり、
ＳＤＩ端子を備える、受像等装置と本発明で開発された、
ＨＤＭＩ−ＳＤＩ変換装置とＳＤＩケーブルによって接続されている者である。
【請求項２】
ＨＤＭＩ信号分析部において
本発明の、ＨＤＭＩ信号分析部では
ＨＤＭＩ信号から映像および音声、その他制御信号として分類し別々に抽出し、
映像および音声信号はＨＤＭＩ信号構成部へ、
その他制御信号は信号情報制御部へ伝送する。
【請求項３】
信号情報制御部において
本発明の信号情報制御部では
前記において抽出された、その他制御信号のコンテンツ保護情報等を修正する。
【請求項４】
ＨＤＭＩ信号構成部において
本発明の、ＨＤＭＩ信号構成部では
前記、信号情報制御部において修正された、その他制御信号と、
前記ＨＤＭＩ信号分析部において抽出された信号とを混合し
ＨＤＭＩ信号を生成する。
【発明の詳細な説明】
【技術分野】
【０００１】本発明は、ＨＤＭＩインタフェイスからのデータをＳＤＩ方式へ変換し出力する装置に関する。
【背景技術】
【０００２】ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子を有する映像等、映像等記録を送出する機器等において、ＨＤＭＩ規格の信号を出力するものがある。【０００３】近年では映像および音声等の記録または再生機器の普及が進み、デジタルハイビジョン放送やハイビジョンコンテンツなど、多くの映像および音声またはその複合コンテンツがＨＤＭＩ端子を有する機器を通じて配信等をされるようになった。【０００４】
【特許文献１】特開２００９−２９６３８３広報
【特許文献２】特開２０１０−２８６４２広報
【特許文献３】特開２０１０−３４９１３広報
【特許文献４】特開２００７−１８０６２４広報
【特許文献５】特開２００７−２０１６６広報
【特許文献６】特開２００８−２７７９４１広報
【特許文献７】特開２００８−２４４９８０広報
【特許文献８】特開２００９−３８５９６広報
【発明の概要】
【発明が解決しようとする課題】
【０００５】本発明の課題と目的はＨＤＭＩインタフェイスを搭載した再生等が可能な機器とＳＤＩインタフェイスを搭載した機器との間に接続し、映像および音声等の信号劣化等の信号変化をさせずにＨＤＭＩフォーマットからＳＤＩフォーマットへ変換することにある。
【課題を解決するための手段】
【０００６】上記課題を解決できる手段として、ＨＤＭＩ端子を有する機器と本発明による装置とをＨＤＭＩケーブルによって接続し、映像および音声等の信号をＳＤＩフォーマットへ変換後、本発明による装置とＳＤＩ端子を有する機器と接続する。
【発明の効果】
【０００７】本発明によると、ＨＤＭＩ端子を搭載した送出および再生等が可能な機器で、ＨＤＭＩ端子より出力される信号には、ＨＤＭＩフォーマットで規定されているコンテンツ保護信号が付随されており、本発明による装置内部において、信号情報を劣化させることなくＳＤＩフォーマットへ変換することを、左記ＨＤＭＩ信号内にある保護信号を取り除くことで可能とする。
【図面の簡単な説明】
【０００８】
【図１】本発明の実施形態についての図面である。
【発明を実施するための形態】
【０００９】＜実施形態＞
図１は、本発明の実施形態１によるＨＤＭＩ−ＳＤＩ変換装置の構成を表すブロック図である。
ＨＤＭＩ−ＳＤＩ変換装置２００であり、映像および音声等再生装置１００（ＨＤＭＩ送出機器）と１００のＨＤＭＩ端子１０１と２００のＨＤＭＩ端子２０１とはＨＤＭＩケーブル１０２にて接続されている。
また、受像装置等機器３００（ＳＤＩ受信機器）であり、２００のＳＤＩ端子２０２と３００のＳＤＩ端子３０１とはＳＤＩケーブルである７５Ωケーブル２０３で接続されている。
【００１０】図１で示すように、ＨＤＭＩ−ＳＤＩ変換装置２００は、ＨＤＭＩ信号受信部１、ＨＤＭＩ信号分析部２、信号情報制御部３、ＨＤＭＩ信号構成部４、信号変換部５、ＳＤＩ信号送出部６から構成される。
【００１１】ＨＤＭＩ信号受信部１の動作に関して説明する。
【００１２】ＨＤＭＩ信号受信部１は、図１で示された映像および音声等再生装置等１００（ＨＤＭＩ送出機器）からの信号を１０２であるＨＤＭＩケーブルを通して信号を受信し、ＨＤＭＩ規格の信号であるかを判断後、ＨＤＭＩ信号分析部２へ２０４を利用し伝送する。ＨＤＭＩ規格外の信号である場合は、その信号を本装置１以降へ伝送しない。
【００１３】次に、ＨＤＭＩ信号分析部２の動作に関して説明する。
【００１４】ＨＤＭＩ信号分析部２は、２０４を利用しＨＤＭＩ信号受信部１より伝送された信号を、映像、音声、その他の信号の３種別に分け、その他信号部分のみを抽出し、信号情報制御部３へ伝２０５を利用し伝送する。また映像および音声信号はＨＤＭＩ信号構成部４へ２０６を利用し伝送する。
【００１５】次に、信号情報制御部３の動作に関して説明する。
【００１６】信号情報制御部３は、ＨＤＭＩ信号分析部２より２０５を利用し伝送された信号のコンテンツ保護情報等を修正し、ＨＤＭＩ信号構成部４へ２０７を利用し伝送する。
【００１７】次に、ＨＤＭＩ信号構成部４の動作に関して説明する。
【００１８】ＨＤＭＩ信号構成部４は、ＨＤＭＩ信号分析部２から２０６を利用し伝送された、映像および音声信号と、信号情報制御部３より２０７を利用し伝送されたその他の制御信号を混合構成し、ＨＤＭＩ規格である信号を再構成し，ＨＤＭＩ信号として、信号変換部５へ２０８を利用し伝送する。
【００１９】次に、信号変換部５の動作に関して説明する。
【００２０】信号変換部５は、ＨＤＭＩ信号構成部４より２０８を利用し伝送されたＨＤＭＩ信号をＳＤＩ規格である信号へ変換し、ＳＤＩ信号送出部６へ２０９を利用し伝送する。
【００２１】次に、ＳＤＩ信号送出部６の動作に関して説明する。
【００２２】ＳＤＩ信号送出部６は、信号変換部５より２０９を利用し伝送されたＳＤＩ信号をＳＤＩ規格信号であるかを精査し、信号形式が正しい場合は信号波を増幅しＳＤＩ端子２０２へ出力する。
また、信号変換部５より伝送されたＳＤＩ信号が、ＳＤＩ規格信号から逸脱している場合、本機能はＳＤＩ信号の増幅をせず、信号の送出を停止する。
【産業上の利用可能性】
【００２３】本発明の活用例として、契約上、情報所有権を有する者との間で、コンテンツ保護される必要のない場合において、ＨＤＭＩ信号を送出する機器等と本装置を接続することにより、ＨＤＭＩ信号からＳＤＩ信号へ変換することができる。
【符号の説明】
【００２４】１  ＨＤＭＩ信号受信部、２  ＨＤＭＩ信号分析部、３  信号情報制御部、４  ＨＤＭＩ信号構成部、５  信号変換部、６  ＳＤＩ信号送出部、１００  映像および音声等再生装置、２００  ＨＤＭＩ−ＳＤＩ変換装置、３００  受像装置等機器、１０１  ＨＤＭＩ端子、１０２  ＨＤＭＩケーブル、２０１  ＨＤＭＩ端子、２０２  ＳＤＩ端子、２０３  ＳＤＩケーブル、２０４  ＨＤＭＩ信号、２０５  制御信号、２０６  映像および音声信号、２０７  制御信号、２０８  ＨＤＭＩ信号、２０９  ＳＤＩ信号、３０１  ＳＤＩ端子。
【図１】
2011172197.tif 000003